(57)【要約】【課題】トイレ内に人が存在することを検知する検知手段を備え、トイレ内に人が存在する時にのみヒータに通電して貯湯タンク内の湯を沸かす適量の温水使用を満足する貯湯式電気温水器を提供する。【解決手段】水を供給する給水路２と、貯湯タンク３と、前記貯湯タンク内の水を加熱するヒータ４と、前記ヒータ４によって加熱された貯湯タンク内の水を吐水部へ導く給湯路５と、貯湯タンク内の水の温度を検知するとともにヒータ４への通電を制御し貯湯タンク内の温度を調節する温度調節手段６とから成る貯湯式電気温水器において、トイレ内に人が存在することを検知する検知手段７を備え、トイレ内に人が存在する時にのみヒータ４に通電し、貯湯タンク３内の湯を沸かす。【選択図】  図１
2004184038.tif 000002
【特許請求の範囲】
【請求項１】
一般住宅トイレの手洗器に取付けられ、水を供給する給水路と、貯湯タンクと、前記貯湯タンク内の水を加熱するヒータと、前記ヒータによって加熱された貯湯タンク内の水を吐水部へ導く給湯路と、貯湯タンク内の水の温度を検知するとともにヒータへの通電を制御し貯湯タンク内の温度を調節する温度調節手段とから成る貯湯式電気温水器において、トイレ内に人が存在することを検知する検知手段を備え、トイレ内に人が存在する時にのみヒータに通電して貯湯タンク内の湯を沸かし、トイレ内に人がいない時にはヒータに通電しないことを特徴とする貯湯式電気温水器。
【請求項２】
前記貯湯タンクは、貯湯タンクは、トイレ内に人が侵入し、トイレ内での行為を終了するまでの時間内において、手洗いにおける適温の湯を沸し、適量の温水使用を満足するため、容量が０．３リットル以内であり、前記ヒーターは同様の理由により容量が１．２キロワット以上であることを特徴とする、請求項１に記載の貯湯式電気温水器。
【請求項３】
前記検知手段は、赤外線による検知装置を使用して、トイレ内に人が存在することを検知することを特徴とする請求項１に記載の貯湯式電気温水器。
【請求項４】
前記検知手段は、トイレの電灯を点灯したことによって、トイレ内に人が存在することを検知することを特徴とする請求項１に記載の貯湯式電気温水器。
【請求項５】
前記検知手段は、トイレ入口扉の鍵を閉めたことによって、トイレ内に人が存在することを検知することを特徴とする請求項１に記載の貯湯式電気温水器。
【請求項６】
前記検知手段は、弁座の弁ふたを開けたことによって、トイレ内に人が存在することを検知することを特徴とする請求項１に記載の貯湯式電気温水器。
【請求項７】
前記検知手段は、請求項３から請求項６までの２つ以上の検知手段が同時に作動したことによりトイレ内に人が存在することを検知することを特徴とする請求項１に記載の貯湯式電気温水器。
【発明の詳細な説明】
【０００１】
【発明の属する技術分野】
本発明は、一般住宅トイレの手洗器に取付けられ、水を供給する給水路と、貯湯タンクと、前記貯湯タンク内の水を加熱するヒータと、前記ヒータによって加熱された貯湯タンク内の水を吐水部へ導く給湯路と、貯湯タンク内の水の温度を検知するとともにヒータへの通電を制御し貯湯タンク内の温度を調節する温度調節手段より成る貯湯式電気温水器に関するものである。
【０００２】
【従来の技術】
従来、トイレの手洗器に設置される貯湯式電気温水器は、貯湯タンク内の水を加熱するヒータと、貯湯タンク内の水の温度を検知するとともにヒータへの通電を制御し貯湯タンク内の温度を調節する温度調節手段と、前記ヒータと前記温度調節手段への電源を供給および遮断する電源スイッチを備えている。（例えば、特許文献１）
また、貯湯式電気温水器はキャビネットの中などの目立たない位置に設置されることが多い。（例えば、特許文献２）
図３は、一般的な貯湯式電気温水器の回路構成を示す。
【０００３】
【特許文献１】
特開平７−２７４２１  第１図
【０００４】
【特許文献２】
特開平３−６６３３４  ４項  第１図
【０００５】
【発明が解決しようとする課題】
しかしながら、上記のような構成の貯湯式電気温水器においては、湯を使用することが無い時にも、自然放熱により貯湯タンク内３の水の温度が温度調節手段の定めた温度を下回ると前記ヒータ４へ再度通電を開始し、常に貯湯タンク３内の湯を適温に保つため、必要でない電力を無駄に使用してしまうという欠点があった。
また、貯湯式電気温水器はキャビネットの中などの目立たない位置に設置されることが多いため、使用者が電源スイッチ１５をまめに動作させることは少なく、また使用者が外出してしまった場合などには全く使用されることが無いにもかかわらず、常に貯湯タンク３内の湯を適温に保つため、必要でない電力を無駄に使用してしまうという欠点があった。
【０００６】
従って、本発明の目的は、トイレ内に人が存在することを検知する検知手段を備え、トイレ内に人が存在する時にのみヒータに通電して貯湯タンク内の湯を沸かし、トイレ内に人がいない時にはヒータに通電しないため、必要でない電力を無駄に消費することがなく、かつ貯湯量をトイレでの手洗いに必要最低限の約０．３Ｌとし、占有スペースを小さくした貯湯式電気温水器を提供することにある。
【０００７】
【課題を解決するための手段及びその作用・効果】
上記目的を達成するために請求項１は、トイレ内に人が存在することを検知する検知手段を備え、トイレ内に人が存在する時にのみヒータに通電して貯湯タンク内の湯を沸かし、トイレ内に人がいない時にはヒータに通電しないこととした。
【０００８】
請求項２は、貯湯タンクは、トイレ内に人が侵入し、トイレ内での行為を終了するまでの時間内において、手洗いにおける適温の湯を沸し、適量の温水使用を満足するため、容量を０．３リットル以内とし、ヒーターは同様の理由により容量を１．２キロワット以上であることとした。
【０００９】
請求項３は、赤外線による検知装置を使用して、トイレ内に人が存在することを検知することした。
【００１０】
請求項４は、トイレの電灯を点灯したことによって、トイレ内に人が存在することを検知することをとした。
【００１１】
請求項５は、トイレ入口扉の鍵を閉めたことによって、トイレ内に人が存在することを検知することとした。
【００１２】
請求項６は、弁座の弁ふたを開けたことによって、トイレ内に人が存在することを検知することとした。
【００１３】
請求項７は、前記検知手段は、請求項３から請求項６までの２つ以上の検知手段が同時に作動したことによりトイレ内に人が存在することを検知することとした。
【００１４】
【発明の実施の形態】
以下、本発明の実施の形態を、図面により詳細に説明する。
図１は、本発明の一実施形態に係る貯湯式電気温水器の接続図である。
貯湯式電気温水器１は水を供給する給水路２と、貯湯タンク３と、前記貯湯タンク内の水を加熱するヒータ４と、前記ヒータ４によって加熱された貯湯タンク内の水を吐水部へ導く給湯路５と、貯湯タンク内の水の温度を検知するとともにヒータ４への通電を制御し貯湯タンク内の温度を調節する温度調節手段６とから成る貯湯式電気温水器において、トイレ内に人が存在することを検知する検知手段７を備えている。
通常の給湯使用において、手洗いでの使用や自然放熱などにより、前記貯湯タンク３内の水が前記温度調節手段の定めた温度を下回ると前記ヒータ４へ通電し、前記貯湯タンク内の水が前記温度調節手段の定めた温度を上回ると前記ヒータ４への通電を停止する。
従来の貯湯式電気温水器においては、図３に示すように電源スイッチ１５が閉じて電源が供給されている間は、湯の使用がある無しに関わらず、常にヒータ４への通電と停止が繰り返される。
【００１５】
本発明では、トイレ内に人が存在することを検知する検知手段７を備え、トイレ内に人が存在する時にのみヒータ４に通電し、貯湯タンク３内の湯を沸かし、トイレ内に人がいない時にはヒータ４に通電しないとすることで、上記の問題を解決している。
また、前記貯湯タンク３は、トイレ内に人が侵入し、トイレ内での行為を終了するまでの時間内において、手洗いにおける適温の湯を沸し、適量の温水使用を満足するため、容量が０．３リットル以内であり、前記ヒータ４は同様の理由により容量が１．２キロワット以上としている。
【００１６】
たとえば、従来の技術において貯湯タンクの容量を１．２Ｌとし、ヒータ容量を０．５ｋｗとした場合において、一ヶ月当たりの一般的な家族での使用を想定すると、消費電力は、
（４人家族、使用回数１８回、自然放熱による通電６回、加熱効率８０％、一回当たりの使用量０．３３Ｌ、水温１５℃）
｛５．９４（Ｌ）×（３８（℃）−１５（℃））＋１．２（Ｌ）×（３８（℃）−３１（℃））×６（回）｝÷０．８×３０＝７０２０（ｋｃａｌ）
となる。これに対し、本発明においての貯湯タンクの容量を０．３Ｌとし、ヒータ容量を１．２ｋｗとした場合
｛５．９４（Ｌ）×（３８（℃）−１５（℃））｝÷０．８×３０＝５５６９（ｋｃａｌ）
となり、保温によるエネルギー消費をなくし、約８０％のエネルギー消費量に押えることができる。
また、貯湯タンクの容量を少なくすることで施工性が向上し、占有スペースを小さくすることができ、キャビネット内に設置された場合の収納性、意匠性も向上することができる。
また、トイレ内に人が存在する時にのみ貯湯タンク内３の水を沸し上げるため、保温材が不要であり、組み立て性の改善、部品コストの削減につながる。
【００１７】
図２は本発明の他の実施形態に係る貯湯式電気温水器の接続である。
トイレ内に人が存在することを検知する装置を、トイレの電灯のスイッチ１４とリレー接点８を用いて連動することで貯湯式電気温水器の検知装置７を省いた。また、人が存在することの検知を、弁座の弁ふたの開閉で判断することとしてもよい。また、同様にトイレの鍵の開閉で判断することとしても良い。また、これらの検知装置を二つ以上組み合わせることとしてもよい。
【図面の簡単な説明】
【図１】本発明の一実施形態に係る貯湯式電気温水器の接続図
【図２】本発明の他の実施形態に係る貯湯式電気温水器の接続図
【図３】従来の貯湯式電気温水器の接続図
【符号の説明】
１．貯湯式電気温水器
２．給水路
３．貯湯タンク
４．ヒータ
５．給湯路
６．温度調節手段
７．検知手段
８．リレー接点
９．電源
１０．ハンドル水栓
１１．スパウト
１２．手洗器
１３．電灯
１４．電灯スイッチ
１５．電源スイッチ
【図１】
2004184038.tif 000003
【図２】
2004184038.tif 000004
【図３】
2004184038.tif 000005